(57)【要約】【課題】  無人で布の着脱及び浸水を行うことができ、長期にわたって湿度を測定可能である湿球温度センサーを提供する。【解決手段】  温度センサーを下降させ、温度センサー２の先端に布を装着したのち、布５を所定長さで切断する。その後、温度センサー２を移動させ、布の下端を貯水筒４内の水に浸漬させ湿らせる。この状態で湿球温度を測定する。所定時間が経過すると、温度センサー２を移動させ、その先端に装着された布を一対のローラ７で除去する。その後、温度センサー２の先端に新しい布を装着する。【選択図】  図１
2007064687.tif 000002
【特許請求の範囲】
【請求項１】
温度センサーと、
前記温度センサーに装着する布を切断する切断手段と、
前記温度センサーに装着された前記布を浸水させる浸水手段と、
前記温度センサーから前記布を除去する除去手段と、
前記温度センサーを移動させる移動手段と
を備えることを特徴とする湿球温度センサー。
【請求項２】
更にタイマを備え、前記タイマを用いて前記布の交換時期を制御する請求項１に記載の湿球温度センサー。
【請求項３】
前記除去手段がローラを含む請求項１に記載の湿球温度センサー。
【請求項４】
前記浸水手段が貯水筒を含む請求項１に記載の湿球温度センサー。
【請求項５】
前記貯水筒に給水するための貯水タンクを更に備える請求項４に記載の湿球温度センサー。
【発明の詳細な説明】
【技術分野】
【０００１】
本発明は湿度を測定するための湿球温度センサーに関する。
【背景技術】
【０００２】
従来の湿球温度センサーは、温度センサーにガーゼを作業員が装着し、ガーゼの先端部分を貯水筒の中に浸すことにより実現されている。
【発明の開示】
【発明が解決しようとする課題】
【０００３】
しかし、前記従来の湿球温度センサーでは、ガーゼが汚れてくると吸水力が弱まることから、作業員が新しいガーゼに交換する必要があり、交換を忘れると正しい湿度が測定できない、という問題点がある。
【０００４】
本発明は、上記事情に鑑み、無人でガーゼ等の布の着脱及び浸水を行うことができ、長期にわたって湿度を測定可能である湿球温度センサーを提供することを目的とする。
【課題を解決するための手段】
【０００５】
本発明の湿球温度センサーは、温度センサーと、前記温度センサーに装着する布を切断する切断手段と、前記温度センサーに装着された前記布を浸水させる浸水手段と、前記温度センサーから前記布を除去する除去手段と、前記温度センサーを移動させる移動手段とを備えることを特徴とする。
【発明の効果】
【０００６】
本発明によれば、湿球温度センサーに装着される布の交換及び布の浸水を作業員の人手を介さずに自動で行うことができるので、長期にわたって湿度測定を無人で行うことができる。従って、布の交換忘れなどによる湿度測定値の誤差を少なくすることができる。
【発明を実施するための最良の形態】
【０００７】
本発明の上記の湿球温度センサーにおいて、更にタイマを備え、前記タイマを用いて前記布の交換時期を制御することが好ましい。これにより、定められた時刻に布の交換が行われるので、湿度測定の無人化を容易に実現できる。
【０００８】
前記除去手段がローラを含むことが好ましい。これにより、布の除去を簡単な構成で行うことができる。
【０００９】
前記浸水手段が貯水筒を含むことが好ましい。これにより、温度センサーに装着された布を湿らすことができる。
【００１０】
前記貯水筒に給水するための貯水タンクを更に備えることが好ましい。これにより、貯水筒の水の補給を容易に行うことができる。
【００１１】
次に、本発明の構成及び動作について、図を用いて説明する。
【００１２】
図１は、本発明の一実施形態に係る湿球温度センサを用いてケース本体１内の湿度測定を行う場合の概略構成を示した側面断面図である。
【００１３】
本実施形態の湿球温度センサーは、温度センサー２に装着する布５を切断するための刃と、温度センサー５に装着された布を浸水させる貯水筒４と、温度センサー５から布を除去する一対のローラ７と、温度センサー５を移動させる駆動機構とを備えている。
【００１４】
ケース本体１はステンレス製の容器である。
【００１５】
温度センサー２はケース本体１内の湿球温度を測定する。温度センサー２は、その先端（図１では下端）に温度及び湿球温度を検知するセンサー部を備え、検知した温度及び湿球温度のデータは図示しないリード線を介して、ケース本体１外に設置されたパソコン等に伝送される。
【００１６】
温度センサー２は、ケース本体１内において、モーター８により上下方向に移動させられる。更に、温度センサー２は、ケース本体１内において、図示しない水平方向駆動機構により左右方向に移動させられる。
【００１７】
布５は、例えばガーゼなどからなる長尺の筒状物であり、ローラ状に巻回されてケース本体１内に設置されている。
【００１８】
貯水筒４は、温度センサー２の先端に装着された布を湿らせるための水を保持するステンレス鋼からなる容器であり、ケース本体１内に設置設置されている。ケース本体１外には、例えば容積１リットル程度の樹脂製容器からなる貯水タンク３が設置されている。貯水タンク３は、配管９を介して貯水筒４と接続されており、貯水筒４に水を供給する。１１は配管９の開閉を行うバルブである。
【００１９】
一対のローラ７は、各回転軸を水平にして、その外周面を互いに接触させて配置されている。一対のローラ７は、図示しない駆動モータにより図示した矢印方向に回転し、温度センサー２の先端に取り付けられた布を除去する。一対のローラ７の下部には、使用済みの布を一時的に保管する箱６が設けられている。
【００２０】
以下に、本実施形態の湿球温度センサーの動作を説明する。
【００２１】
まず、温度センサー２の先端のセンサー部に布５を装着する動作を図２を用いて説明する。筒状に形成された布５は、その一端を上側に向けて保持されている。水平方向駆動機構により温度センサー２を布５の上方位置まで移動させ、次いで、モータ８により温度センサー２をゆっくりと下降させて、筒状の布５内に挿入する。センサー部の周囲が布５に十分に覆われると、モータ８を停止させる。
【００２２】
その後、刃１０により、温度センサー２の下端よりやや下の位置で、布５を切断する。温度センサー２に装着された布５は摩擦力により温度センサー２に保持される。
【００２３】
布５が装着された温度センサー２は、モータ８により上昇され、貯水筒４の上方位置まで水平駆動機構により水平移動されたのち、モータ８により、布５の下端が貯水筒４内の水に触れるまで下降される。ただし、温度センサー２のセンサー部は浸漬させない。これにより布５全体が湿らされる。
【００２４】
この状態で、湿球温度を測定する。
【００２５】
貯水タンク３にはあらかじめいっぱいに水（例えば水道水）を入れておく。布及び貯水筒４の水面から水が蒸発し、貯水筒４の水面が下降すると、バルブ１１を開き、配管９を介して貯水筒４に水が補給される。このようにして、貯水筒４の水面は略一定高さに維持される。
【００２６】
時間が経過し、布が汚れてくると、温度センサー２は、モータ８により上昇され、一対のローラ７の上方位置まで水平駆動機構により水平移動されたのち、モータ８により下降される。布が一対のローラ７に接触する位置にまで下降すると、一対のローラ７が矢印方向に回転し、これらの間に布５を挟み、布５を温度センサー２から引き抜き除去する。除去された布は箱６内に落下する。
【００２７】
その後、温度センサー２は、モータ８により上昇され、布５の上方位置まで水平移動される。一方、ローラ状に巻き取られた布５は、所定長さだけ巻き出される。モータ８により温度センサー２を下降させ、上述の布５の装着動作が行われる。
【００２８】
以上の動作を繰り返すことにより、ケース本体１内の湿度測定を長期にわたって無人で行うことができる。
【００２９】
タイマを用いて、予め定めた日時に、または一定間隔おきに、布５の交換を行うことができる。これにより、湿度測定の無人化をより容易に実現できる。
【００３０】
また、貯水筒４の水面位置を検出するセンサを設け、このセンサからの信号に基づいて、バルブ１１の開閉動作を制御しても良い。これにより、貯水筒４への水の補給を無人化することが可能である。
【産業上の利用可能性】
【００３１】
本発明の利用分野は特に制限はないが、長期にわたって湿度の無人測定ができるので、例えば環境試験分野で利用価値が高い。
【図面の簡単な説明】
【００３２】
【図１】本発明の一実施形態に係る湿球温度センサーの概略構成を示した側面断面図である。
【図２】本発明の一実施形態に係る湿球温度センサーにおいて、温度センサーに布を装着する機構の概略構成を示した側面図である。
【符号の説明】
【００３３】
１  ケース本体
２  温度センサー
３  貯水タンク
４  貯水筒
５  布
６  箱
７  ローラ
８  モータ
９  配管
１０  刃
１１  バルブ
【図１】
2007064687.tif 000003
【図２】
2007064687.tif 000004